(57)【要約】【課題】  カラー画像形成装置において、感光体が廻っている間は常に感光体ベルトの裏側を清掃し、感光体ベルトがアース部材と接触して接地するようにし、感光体の表面にあって潤滑剤を安定して塗布を出来るように付いているバックアップ部材としても作用する感光体ベルト清掃部材を設け、画質の劣化を防ぎ、画像を正常に維持する。【解決手段】  カラー現像用の各色別の複数現像器を、ベルト状の感光体に接離して各色毎に現像を行う感光体ユニットを有する画像形成装置において、感光体ベルトの画像形成面の裏側をクリーニングする清掃部材を設けた感光体ユニットを有する。【選択図】  図２
2005321552.tif 000002
【特許請求の範囲】
【請求項１】
カラー現像用の各色別の複数現像器を、ベルト状の感光体に接離して各色毎に現像を行う感光体ユニットを有する画像形成装置において、感光体ベルトの画像形成面の裏側をクリーニングする清掃部材を設けた感光体ユニットを有することを特徴とする画像形成装置。
【請求項２】
前記清掃部材が弾性体からなるブレードであることを特徴とする請求項１記載の画像形成装置。
【請求項３】
前記清掃部材の弾性体が、ウレタンゴムブレードであることを特徴とする請求項２記載の画像形成装置。
【請求項４】
前記清掃部材は、前記クリーニング機能と共に感光体ベルト表面に潤滑剤を塗布するブラシローラの塗布量を安定させる機能を持つバックアップ部材であることを特徴とする請求項１から３のいずれか一項に記載の画像形成装置。
【発明の詳細な説明】
【技術分野】
【０００１】
本発明は、ＰＰＣ、ＬＢＰ等の電子写真装置の感光体ユニットに関し、特に感光体ベルトの裏面のクリーニング手法の改良技術に関する。
【背景技術】
【０００２】
従来から電子写真方式を用いたカラー画像形成装置において、感光体に４色の現像器を用いて現像する方法は種々提案されているが、その中で一本のベルト感光体に対して４色の現像器が順番に接離して現像する方式がある。
この方式を用いた場合、感光体ベルトを駆動する駆動ローラとその下流に位置する従動ローラとの間の感光体ベルト面に対向する位置に各現像器が位置することとなる。また感光体ベルト上の転写残トナーをクリーニングするクリーニングブレードの稜線の磨耗を防ぐためにステアリン酸亜鉛等の潤滑剤を塗布するが、この潤滑剤を安定して塗布するための塗布ブラシの対向位置にバックアップ部材を設ける。
また通常ニッケル電鋳等金属を基材とした感光体ベルトは、感光体ベルトのアースをベルトの裏側からとる。このときトナーや紙粉等のごみが感光体ベルトの裏側に廻り込み感光体ベルトとアース部材との間に入り込むとアース不良となり、結果として異常画像となる。
あるいはトナーや紙粉等のごみが感光体ベルトの駆動ローラ等に付着してローラの表面摩擦係数μを低下させ、ベルト裏面とローラ表面との間にスリップを起こして異常画像となったり、あるいはベルトの寄りを誘発してその結果ベルト破損をおこしたりする。
この対策として感光体ベルトの裏側にごみが廻り込まないように感光体ベルトを密閉することが考えられるが、この方法だと部品点数が増え、重量も重くなる。
【発明の開示】
【発明が解決しようとする課題】
【０００３】
本発明は、上述した実情を考慮してなされたもので、感光体ベルトが廻っている間は常に感光体ベルトの裏側を清掃し、感光体ベルトがアース部材と接触して接地するようにし、感光体の表面にあって潤滑剤を安定して塗布出来るように付いているバックアップ部材としても作用する感光体ベルト清掃部材を設け、画質の劣化を防ぎ、正常な画像の維持ができるカラー画像形成装置を得ることを目的とする。
【課題を解決するための手段】
【０００４】
上記の課題を解決するために、請求項１に記載の発明は、カラー現像用の各色別の複数現像器を、ベルト状の感光体に接離して各色毎に現像を行う感光体ユニットを有する画像形成装置において、感光体ベルトの画像形成面の裏側をクリーニングする清掃部材を設けた感光体ユニットを有する画像形成装置を特徴とする。
また、請求項２に記載の発明は、前記清掃部材が弾性体からなるブレードである請求項１記載の画像形成装置を特徴とする。
また、請求項３に記載の発明は、前記清掃部材の弾性体が、ウレタンゴムブレードである請求項２記載の画像形成装置を特徴とする。
また、請求項４に記載の発明は、前記清掃部材は、前記クリーニング機能と共に感光体ベルト表面に潤滑剤を塗布するブラシローラの塗布量を安定させる機能を持つバックアップ部材である請求項１から３のいずれか１項に記載の画像形成装置を特徴とする。
【発明の効果】
【０００５】
本発明によれば、感光体のバックアップ部材に清掃部材を取り付ける事で感光体の裏面に付着した汚れを清掃することができるので、画質の劣化を防ぐ事が可能となる。
【発明を実施するための最良の形態】
【０００６】
以下、図面を参照して、本発明の実施形態を詳細に説明する。本発明の一実施例であるカラー画像形成装置を図１に示す。図１において、１はベルト状像担持体たる可撓性の感光体ベルトであり、感光体ベルト１は、回動ローラ１１、１２、１３間に架設され、駆動ローラとしての回動ローラ１１の回転駆動により図中矢印Ａ方向（時計方向）に搬送される。図２に示すように各ローラ１１、１２、１３は、感光体ベルト１の内側に位置するフレーム１４によって回転自在に支持されている。図中３は、感光体ベルト１表面を均一に帯電する帯電手段たる帯電チャージャ、図中７は、静電像露光手段たるレーザ書き込み系ユニットである。また、図中５（５Ｙ、５Ｍ、５Ｃ、５Ｋ）は、イエロー、マゼンタ、シアン、黒の現像剤（トナー）を有する４つの現像器のカラー現像装置である。
更に、図中６は、中間転写体たる中間転写ベルトユニットであり、該中間転写ベルト６１は回動ローラ６２、６３、６４、６５、６６の間に架設され、回動ローラ６２の回転駆動により図中矢印Ｂ方向（反時計方向）に搬送される。前記感光体ベルト１と、中間転写ベルト６１は、感光体ベルト１の回動ローラ１３部で接触している。該接触部の中間転写ベルト６１側には、導電性を有するバイアスローラ６４が中間転写ベルト６１裏面に所定の条件で接触している。
ここで、本発明の実施例であるカラー画像形成装置の画像形成動作について説明する。
図１において、感光体ベルト（潜像担持体）１は帯電チャージャ３により一様に帯電された後、レーザ光学装置７により、画像情報に基づき走査露光されて表面に静電潜像が形成される。ここで、露光する画像情報は所望のフルカラー画像をイエロー、シアン、マゼンタ、及び黒の色情報に分解した単色の画像情報であり、この情報により半導体レーザ（図示せず）で発生されたレーザビームＬは、図示を省略した光学装置により走査、及び光路調整されたものである。
ここで形成された静電潜像は、後述する回転型現像装置５により各々所定のイエロー、マゼンタ、シアン、及び黒トナーで各々単色現像され、感光体ベルト１上に各々の色画像が順次形成される。
図中矢印Ａ方向に回転する感光体ベルト１上に形成された各単色画像像は、感光体ベルト１と同期して図中矢印Ｂ方向に回転する中間転写ベルト６１上に、イエロー、マゼンタ、シアン、及び黒の単色毎に、バイアスローラ６４に印加された所定の転写バイアスにより順次重ね転写される。転写後感光体ベルト１は除電ランプ１２０から発光された光を支持体１２１で反射した光によって照射され、残留電位を除電される。中間転写ベルト６１上に重ね合わされたイエロー、マゼンタ、シアン、及び黒の画像は、給紙台（給紙カセット）８から給紙ローラ８１、搬送ローラ対８２ａ、８２ｂ、レジストローラ対８３ａ、８３ｂを経て転写部へ搬送された転写紙上に転写ローラ９により一括転写される。
転写終了後、転写紙は定着装置１００により定着されて、フルカラー画像が完成し、装置外へ排出される。また感光体ベルト１に残留したトナーはクリーニングブレード４、中間転写ベルト６１に残留したトナーはクリーニング部１１０によって回収される。
【０００７】
図２に本発明の画像形成装置の感光体ユニットを示す。感光体ベルト１は矢印方向に回転しており、各色の現像器５Ｙ、５Ｍ、５Ｃ、５Ｋは現像の際に個別に矢印方向に進退動作し、接離する事によって、現像する。その際に現像器と感光体ベルト１とのニップを安定させるため、感光体ユニットのフレーム１４から出ているバックアップ部材１５が設置されている。
感光体ベルト１の裏側に、アースをとるためのアースブラシ１７が接触するように、フレーム１４にアースブラシ１７が設置されている。感光体ベルト１の転写残トナーをクリーニングするためのクリーニングブレード４の磨耗を低減させるため、潤滑剤１８をブラシローラ１９を使って感光体ベルト１の表面に塗布する。
このとき感光体ベルト１の裏側を清掃する清掃用ブレード（清掃部材）１６が感光体ユニットのフレーム１４に設置されており、常に感光体ベルト１の裏側に接することにより、感光体ベルト１の裏側をきれいに保つ。従って、感光体のフレーム１４に清掃部材としてのブレード１６を取り付ける事で、感光体の裏面に付着した汚れを清掃することができるので、画質の劣化を防ぐ事が可能となる。
またブレード１６は感光体ベルトを挟んでブラシローラ１９に対向しているため、ブラシローラ１９が感光体ベルト１に安定して潤滑剤１８を塗布するのに寄与するバックアップ部材として機能する。
なお、清掃用ブレード１６は、弾性体からなるブレードであり、例えばウレタンゴムブレードである。
【図面の簡単な説明】
【０００８】
【図１】本発明の感光体ユニットを有する画像形成装置の構成図である。
【図２】本発明の画像形成装置の感光体ユニットを示す構成断面図である。
【符号の説明】
【０００９】
１  感光体ベルト
３  帯電チャージャ
４  クリーニングブレード
５  カラー現像装置
６  中間転写ベルトユニット
７  静電像露光手段
８  給紙台（給紙カセット）
９  転写ローラ
１１、１２、１３  回動ローラ
１４  フレーム
１５  バックアップ部材
１６  清掃用ブレード
１７  アースブラシ
１８  潤滑剤
１９  ブラシローラ
６１  中間転写ベルト
６２、６３、６５、６６  回動ローラ
６４  バイアスローラ
８１  給紙ローラ
８２ａ、８２ｂ  搬送ローラ対
８３ａ、８３ｂ  レジストローラ対
１００  定着装置
１１０  クリーニング部
１２０  除電ランプ
１２１  支持体
【図１】
2005321552.tif 000003
【図２】
2005321552.tif 000004